(57)【要約】【課題】玉突き動作と球送り動作とを機械的な損傷を抑制しつつ連動させること。【解決手段】打球位置に遊技球Ｗを保持する球保持部１２Ｂと球保持部１２Ｂに遊技球Ｗを送るストッパー１２Ｄとを有し、回動可能に設けられている回動部材１２と、打球位置に保持されている遊技球Ｗを突く杵部材１６と、杵部材１６を駆動するソレノイド１５と、を備え、回動部材１２は球保持部１２Ｂに遊技球Ｗが送られると当該遊技球Ｗの重さで一方向に回動する一方、打球位置に保持されている遊技球Ｗが杵部材１６で突かれて打球位置からなくなると自重で逆方向に回動し、球保持部１２Ｂは回動部材１２が一方向に回動すると送られた遊技球Ｗを打球位置に保持し、ストッパー１２Ｄは回動部材１２が逆方向に回動すると球保持部１２Ｂに次の遊技球Ｗを送る、遊技球発射装置１。【選択図】図４
2017196203.tif 000002
【特許請求の範囲】
【請求項１】
打球位置に遊技球を保持する球保持部と前記球保持部に遊技球を送る球送り部とを有し、回動可能に設けられている回動部材と、
前記打球位置に保持されている遊技球を突く杵部材と、
前記杵部材を駆動するソレノイドと、
を備え、
前記回動部材は前記球保持部に遊技球が送られると当該遊技球の重さで一方向に回動する一方、前記打球位置に保持されている遊技球が前記杵部材で突かれて前記打球位置からなくなると自重で逆方向に回動し、
前記球保持部は前記回動部材が前記一方向に回動すると前記送られた遊技球を前記打球位置に保持し、
前記球送り部は前記回動部材が前記逆方向に回動すると前記球保持部に次の遊技球を送る、遊技球発射装置。
【請求項２】
前記回動部材が前記逆方向に回動したときに前記回動部材に当接してそれ以上の回動を規制する第１の規制部を備える、請求項１に記載の遊技球発射装置。
【請求項３】
前記回動部材及び前記第１の規制部の少なくとも一方に、前記回動部材が前記第１の規制部に当接する際の衝撃を和らげる第１の緩衝部材が設けられている、請求項２に記載の遊技球発射装置。
【請求項４】
遊技球を前記打球位置に保持する位置まで前記回動部材が前記一方向に回動したときに前記回動部材に当接してそれ以上の回動を規制する第２の規制部を備える、請求項１乃至請求項３のいずれか一項に記載の遊技球発射装置。
【請求項５】
前記球保持部及び前記第２の規制部の少なくとも一方に、前記回動部材が前記第２の規制部に当接する際の衝撃を和らげる第２の緩衝部材が設けられている、請求項４に記載の遊技球発射装置。
【請求項６】
前記球送り部は、前記回動部材が前記一方向に回動すると前記球保持部に次の遊技球が送られることを規制し、前記回動部材が前記逆方向に回動すると規制を解除して前記球保持部に次の遊技球を送るストッパーである、請求項１乃至請求項５のいずれか一項に記載の遊技球発射装置。
【請求項７】
打球位置に遊技球を保持する球保持部と前記球保持部に遊技球を送る球送り部とを有し、回動可能に設けられている回動部材と、
前記打球位置に保持されている遊技球を突く杵部材と、
前記杵部材を駆動するソレノイドと、
を一体に備え、
前記回動部材は前記球保持部に遊技球が送られると当該遊技球の重さで一方向に回動する一方、前記打球位置に保持されている遊技球が前記杵部材で突かれて前記打球位置からなくなると自重で逆方向に回動し、
前記球保持部は前記回動部材が前記一方向に回動すると前記送られた遊技球を前記打球位置に保持し、
前記球送り部は前記回動部材が前記逆方向に回動すると前記球保持部に次の遊技球を送る、遊技球発射ユニット。
【発明の詳細な説明】
【技術分野】
【０００１】
遊技球発射装置、及び、遊技球発射ユニットに関する。
【背景技術】
【０００２】
従来、パチンコ機に取り付けられる遊技球発射装置において、玉突き動作と球送り動作とを連動させるものが知られている（例えば、特許文献１参照）。具体的には、特許文献１に記載の打球発射装置は発射槌が軸周りに回転して球を突く際に発射槌がレバーに当接して当該レバーを回転させ、回転したレバーによってアームが回転されて次のパチンコ球が当該アームによって球発射ガイド上に補給されるものである。
【先行技術文献】
【特許文献】
【０００３】
【特許文献１】特開平４−９９５７７号公報
【発明の概要】
【発明が解決しようとする課題】
【０００４】
しかしながら、上述した特許文献１に記載の打球発射装置は発射槌がレバーに当接することによって発射槌の回転動作をレバーに機械的に伝達するものであるので、発射槌がレバーに当接する際の衝撃によって打球発射装置が機械的に損傷していく虞がある。
【０００５】
本明細書では、玉突き動作と球送り動作とを機械的な損傷を抑制しつつ連動させる技術を開示する。
【課題を解決するための手段】
【０００６】
本明細書で開示する遊技球発射装置は、打球位置に遊技球を保持する球保持部と前記球保持部に遊技球を送る球送り部とを有し、回動可能に設けられている回動部材と、前記打球位置に保持されている遊技球を突く杵部材と、前記杵部材を駆動するソレノイドと、を備え、前記回動部材は前記球保持部に遊技球が送られると当該遊技球の重さで一方向に回動する一方、前記打球位置に保持されている遊技球が前記杵部材で突かれて前記打球位置からなくなると自重で逆方向に回動し、前記球保持部は前記回動部材が前記一方向に回動すると前記送られた遊技球を前記打球位置に保持し、前記球送り部は前記回動部材が前記逆方向に回動すると前記球保持部に次の遊技球を送る。
【０００７】
上記の遊技球発射装置によると、杵部材を回動部材に当接させることなく玉突き動作と球送り動作とを連動させることができるので、玉突き動作と球送り動作とを機械的な損傷を抑制しつつ連動させることができる。
【０００８】
また、前記回動部材が前記逆方向に回動したときに前記回動部材に当接してそれ以上の回動を規制する第１の規制部を備えてもよい。
【０００９】
上記の遊技球発射装置によると、回動部材が必要以上に逆方向に回動してしまわないようにすることができる。
【００１０】
また、前記回動部材及び前記第１の規制部の少なくとも一方に、前記回動部材が前記第１の規制部に当接する際の衝撃を和らげる第１の緩衝部材が設けられていてもよい。
【００１１】
上記の遊技球発射装置によると、回動部材と第１の規制部とが当接する際の衝撃による機械的な損傷や騒音を抑制することができる。
【００１２】
また、遊技球を前記打球位置に保持する位置まで前記回動部材が前記一方向に回動したときに前記回動部材に当接してそれ以上の回動を規制する第２の規制部を備えてもよい。
【００１３】
上記の遊技球発射装置によると、回動部材が一方向に回動し過ぎて遊技球が打球位置に保持されなくなってしまわないようにすることができる。
【００１４】
また、前記球保持部及び前記第２の規制部の少なくとも一方に、前記回動部材が前記第２の規制部に当接する際の衝撃を和らげる第２の緩衝部材が設けられていてもよい。
【００１５】
上記の遊技球発射装置によると、回動部材と第２の規制部とが当接する際の衝撃による機械的な損傷や騒音を抑制することができる。
【００１６】
また、前記球送り部は、前記回動部材が前記一方向に回動すると前記球保持部に次の遊技球が送られることを規制し、前記回動部材が前記逆方向に回動すると規制を解除して前記球保持部に次の遊技球を送るストッパーであってもよい。
【００１７】
例えば機械的に動作する複数の部材を組み合わせて球送り部を構成したり、あるいは電気的に動作するように球送り部を構成したりすることも可能であるが、そのようにすると球送り部の構成が複雑になってしまう。これに対し、ストッパーを球送り部として用いると球送り部の構成を簡素にすることができる。
【００１８】
また、本明細書で開示する遊技球発射ユニットは、打球位置に遊技球を保持する球保持部と前記球保持部に遊技球を送る球送り部とを有し、回動可能に設けられている回動部材と、前記打球位置に保持されている遊技球を突く杵部材と、前記杵部材を駆動するソレノイドと、を一体に備え、前記回動部材は前記球保持部に遊技球が送られると当該遊技球の重さで一方向に回動する一方、前記打球位置に保持されている遊技球が前記杵部材で突かれて前記打球位置からなくなると自重で逆方向に回動し、前記球保持部は前記回動部材が前記一方向に回動すると前記送られた遊技球を前記打球位置に保持し、前記球送り部は前記回動部材が前記逆方向に回動すると前記球保持部に次の遊技球を送る。
【００１９】
上記の遊技球発射ユニットによると、玉突き動作と球送り動作とを機械的な損傷を抑制しつつ連動させることができる。
【発明の効果】
【００２０】
本明細書で開示する技術によれば、玉突き動作と球送り動作とを機械的な損傷を抑制しつつ連動させることができる。
【図面の簡単な説明】
【００２１】
【図１】実施形態に係る遊技球発射ユニットの斜視図
【図２】遊技球発射ユニットの正面図（流路部材ありの状態）
【図３】遊技球発射ユニットの正面図（流路部材なしの状態）
【図４】杵部材が初期位置に位置しているときの遊技球発射ユニットの正面図
【図５】杵部材が遊技球に当接したときの遊技球発射ユニットの正面図
【図６】杵部材が突かれて球保持部からなくなった直後の遊技球発射ユニットの正面図
【図７】回動部材が右回りに回動中の状態の遊技球発射ユニットの正面図
【図８】回動部材が左回りに回動中の状態の遊技球発射ユニットの正面図
【発明を実施するための形態】
【００２２】
＜実施形態＞
実施形態に係る遊技球発射ユニット１を図１ないし図８に基づいて説明する。なお、図２は流路部材２０を取り付けた状態の遊技球発射ユニット１を示しており、図１及び図３〜図８は流路部材２０を取り外した状態の遊技球発射ユニット１を示している。
以降の説明において上下方向及び左右方向とは図３に示す上下方向及び左右方向を基準とする。また、図３において紙面に垂直な方向を前後方向とし、紙面手前側を前側、紙面奥側を後側とする。
【００２３】
（１）遊技球発射ユニットの構成
図１に示すように、遊技球発射ユニット１はパチンコ機に取り付けられる平板状の基台１１、回動部材１２、回動部材１２を回動可能に支持する支持部１３、発射レール１４、ソレノイド１５、杵部材１６などを一体に備えている。遊技球発射ユニット１は遊技球発射装置の一例である。なお、遊技球発射装置は必ずしもこれらが一体に設けられていなくてもよい。
【００２４】
図３に示すように、回動部材１２は大まかには左右方向に延びる部材であり、左右方向の中央より左側にずれた位置に設けられている軸受部１２Ａ、軸受部１２Ａから左側に延びている球保持部１２Ｂ、軸受部１２Ａから右側に延びている回動力点部１２Ｃ、及び、軸受部１２Ａから上方に延びているストッパー１２Ｄ（球送り部の一例）が一体に形成されている。
【００２５】
軸受部１２Ａには前後方向に貫通する軸受穴が形成されており、その軸受穴に金属製の回転軸１２Ｅが挿入されている。回転軸１２Ｅは支持部１３と後述する流路部材２０の前面カバー２０Ａとによって両端部が軸受されている。
【００２６】
球保持部１２Ｂは後述する打球位置（図４参照）に遊技球Ｗを保持するためのものであり、左方向に向かって伸びる扁平な角柱状に形成されている。図１に示すように球保持部１２Ｂの上面には遊技球Ｗを左右方向にガイドする凹部が形成されており、凹部の底壁には左側に向かって階段状に高くなる複数の段部が設けられている。
【００２７】
図３に示すように、回動力点部１２Ｃは右側に向かって延びる角柱状に形成されている。回動力点部１２Ｃは上下方向の幅が球保持部１２Ｂの幅より厚くなっていると共に、左右方向の長さが球保持部１２Ｂの左右方向の長さより長くなっている。また、回動力点部１２Ｃの右側には回動力点部１２Ｃの重量を重くするために下に張り出す張出部１２Ｆが形成されている。また、回動力点部１２Ｃの左側には下に向かって円柱状に張り出す当接部１２Ｇが一体に形成されている。
【００２８】
また、図１に示すように、回動力点部１２Ｃの上面の左側には凹部１２Ｈが形成されており、右側には張出部１２Ｆの上方に左右方向に並んで二つの凹部１２Ｊが形成されている。
ここで、回動力点部１２Ｃの重量は、球保持部１２Ｂより重い一方、球保持部１２Ｂと遊技球Ｗとの合計重量より軽くなっている。このため球保持部１２Ｂに遊技球Ｗが保持されていないときは回動部材１２には右回りに回動する力が作用し、球保持部１２Ｂに遊技球Ｗが保持されているときは回動部材１２には左回りに回動する力が作用する。
【００２９】
図３に示すように、ストッパー１２Ｄは板状に形成されている。ストッパー１２Ｄは回動部材１２が左回りに回動すると球保持部１２Ｂに次の遊技球Ｗが送られることを規制し、回動部材１２が右回りに回動すると規制を解除して球保持部１２Ｂに次の遊技球を送るものであり、図３に示すように回動部材１２が概ね水平な姿勢のとき、板面が左右方向に対して垂直となる姿勢で軸受部１２Ａから上に向かって延びている。
【００３０】
支持部１３は基台１１の側面に取り付けられる板状部１３Ａと、板状部１３Ａに一体に形成されているガイド部１３Ｂとを有している。
板状部１３Ａは大まかには長方形状に形成されており、長辺が左下から右上に向かって伸びるように傾斜した姿勢で基台１１に取り付けられている。板状部１３Ａの上端縁部には左右方向の概ね中央から上に向かって矩形状に張り出す張出部１３Ｃが形成されている。また、板状部１３Ａには後述する前面カバー２０Ａを支持部１３にねじ止めするための３つの円筒部１３Ｄが前側に延びる姿勢で一体に形成されている。
【００３１】
ガイド部１３Ｂは張出部１３Ｃの左縁、上縁、及び、右縁から前側に張り出すことによって下側及び前側に開口する凹部１３Ｅを形成している。凹部１３Ｅの前側の開口は流路部材２０から供給される遊技球Ｗを凹部１３Ｅ内に導入する導入口を構成しており、下側の開口は凹部１３Ｅ内に導入された遊技球Ｗを球保持部１２Ｂに供給する供給口を構成している。供給口は概ね球保持部１２Ｂの上方に位置している。
【００３２】
図３に示すように凹部１３Ｅの上壁は一の円筒部１３Ｄと一体化している。また、凹部１３Ｅの左壁の下端部は右側に向かって傾斜しており、その下端から板状部１３Ａの上端縁部に沿って左側に延びている部分１３Ｆを有している。また、凹部１３Ｅの右壁の下端部も右側に向かって傾斜しており、その下端から板状部１３Ａの上端縁部に沿って右側に延びている部分１３Ｇを有している。右側に延びている部分１３Ｇは一の円筒部１３Ｄと一体化している。
【００３３】
また、板状部１３Ａには回動部材１２の回動範囲を規制する角柱状の第１の規制部１７及び第２の規制部１８が前側に向かって延びるように一体に設けられている。
第１の規制部１７は回動部材１２が右回りに回動したときに回動力点部１２Ｃに当接してそれ以上の回動を規制するものであり、前述したストッパー１２Ｄが概ね上に向かって延びる姿勢となって次の遊技球Ｗが球保持部１２Ｂに送られる位置まで回動部材１２が右回りに回動したときに回動力点部１２Ｃに当接する位置に設けられている。第１の規制部１７には回動力点部１２Ｃが第１の規制部１７に当接する際の衝撃を和らげるゴムなどの緩衝部材１７Ａ（第１の緩衝部材の一例）が設けられている。
【００３４】
第２の規制部１８は回動部材１２が左回りに回動したときに球保持部１２Ｂに当接してそれ以上の回動を規制するものであり、球保持部１２Ｂが遊技球Ｗを打球位置（図４に示す位置）に保持する角度まで回動したときに球保持部１２Ｂに当接する位置に設けられている。第２の規制部１８には球保持部１２Ｂが第２の規制部１８に当接する際の衝撃を和らげるゴムなどの緩衝部材１８Ａ（第２の緩衝部材の一例）が設けられている。
【００３５】
発射レール１４は回動部材１２と共働して打球位置に遊技球Ｗを保持するとともに、杵部材１６によって突かれた遊技球Ｗを発射方向にガイドするものである。発射レール１４は板状の金属部材を折り曲げて形成されたものであり、溝状に折り曲げられることによって遊技球Ｗをガイドするガイド溝が形成されている（図１参照）。
【００３６】
ソレノイド１５は杵部材１６を駆動するものであり、左斜め上を向く姿勢で基台１１に取り付けられている。ソレノイド１５はボビンに巻き回されたコイル、ボビンの内側に挿通されている金属製の出力軸１９（図６参照）、出力軸１９の外周に嵌合装着されているプランジャ、プランジャを図６に示すＢ方向（杵部材１６が遊技球Ｗを突く方向とは逆側の方向）に付勢するコイルばねなどを備えている。以降の説明では杵部材１６が遊技球Ｗを突く方向（図６に示すＡ方向）のことを球突き方向という。
【００３７】
本実施形態ではパチンコ機に設けられている制御部によってコイルへの通電が制御され、コイルに通電されると出力軸１９がコイルばねの付勢力に抗して球突き方向に移動する。そして、コイルへの通電が停止されると出力軸１９がコイルばねに付勢されて図４に示す元の位置（以下、初期位置という）に戻る。以降の説明ではコイルに通電することを単にソレノイド１５に通電するという。
【００３８】
図３に示すように、杵部材１６は円錐の前端部を切り落とした形状に形成されている。杵部材１６の下面には有底の穴が形成されており、杵部材１６はその穴に出力軸１９の先端部が圧入されることによって出力軸１９の先端部に被せられている。杵部材１６は合成樹脂によって弾性変形可能に構成されており、杵部材１６が変形したり磨耗したりした場合には新しい杵部材１６に交換可能である。
【００３９】
次に、図２を参照して、パチンコ機の上皿から遊技球発射ユニット１に遊技球Ｗを供給する流路部材２０について説明する。図２に示すように流路部材２０には支持部１３の前側を覆う前面カバー２０Ａが一体に設けられており、流路部材２０は前面カバー２０Ａが３か所で支持部１３の円筒部１３Ｄにねじ止めされることによって遊技球発射ユニット１に接続される。なお、本実施形態では流路部材２０は遊技球発射ユニット１を構成するものではないが、遊技球発射ユニット１は構成要素の一つとして流路部材２０を備えていてもよい。
【００４０】
（２）遊技球発射ユニットの作動
次に、図４〜図８を参照して、遊技球発射ユニット１の作動を時系列で説明する。
先ず、図４を参照して、ソレノイド１５に通電されておらず、杵部材１６が初期位置に位置している状態について説明する。杵部材１６が初期位置に位置しているとき、回動部材１２は遊技球Ｗの重さで左回りに回動し、第２の規制部１８に当接して遊技球Ｗを球保持部１２Ｂによって打球位置に保持する保持位置で定位している。
【００４１】
回動部材１２が保持位置で定位しているとき、球保持部１２Ｂが左側に向かって下に傾斜した姿勢となることにより、遊技球Ｗは左側が発射レール１４に当接し、発射レール１４と球保持部１２Ｂとによって図４に示す打球位置に保持される。また、回動部材１２が保持位置で定位しているとき、ストッパー１２Ｄの上端と凹部１３Ｅの左壁との間隔は遊技球Ｗの直径より狭くなる。このため打球位置にある遊技球Ｗの次の遊技球Ｗはストッパー１２Ｄによって球保持部１２Ｂ上に落下することが規制されている。
【００４２】
次に、図５及び図６を参照して、杵部材１６によって遊技球Ｗを突く動作について説明する。前述したようにソレノイド１５に通電すると杵部材１６が球突き方向（図６に示すＡ方向）に移動する。図５に示すように、本実施形態では杵部材１６が遊技球Ｗに当接する位置まで移動した時点でソレノイド１５への通電が停止される。杵部材１６はソレノイド１５への通電が停止されても直ぐには停止せず、図６に示すように慣性によって球突き方向に更に移動する。それにより遊技球Ｗが杵部材１６によって突かれ、遊技球発射ユニット１から発射される。
【００４３】
図７に示すように、打球位置に保持されている遊技球Ｗが杵部材１６で突かれて打球位置からなくなると、回動部材１２は回動力点部１２Ｃの重さ（すなわち自重）によって第１の規制部１７に当接する位置まで右回りに回動する。回動部材１２が右回りに回動するとストッパー１２Ｄの上端と凹部１３Ｅの左壁との間隔が遊技球Ｗの直径より広くなる。これによりストッパー１２Ｄによる規制が解除され、次の遊技球Ｗが球保持部１２Ｂの上に落下する。
【００４４】
図８に示すように、次の遊技球Ｗが球保持部１２Ｂの上に落下すると回動部材１２が球保持部１２Ｂの重さと遊技球Ｗの重さとによって左回りに回動し、図４に示す保持位置に戻る。回動部材１２が保持位置に戻ると球保持部１２Ｂが再び左側に向かって下に傾斜する姿勢になるため、球保持部１２Ｂの上に落下した次の遊技球Ｗが左側に転がり、球保持部１２Ｂによって打球位置に保持される。また、回動部材１２が保持位置に戻ると次の遊技球Ｗの更に次の遊技球Ｗである次々球は球保持部１２Ｂの上に落下することがストッパー１２Ｄによって規制される。
【００４５】
（３）実施形態の効果
以上説明した遊技球発射ユニット１によると、杵部材１６を回動部材１２に当接させることなく玉突き動作と球送り動作とを連動させることができるので、玉突き動作と球送り動作とを機械的な損傷を抑制しつつ連動させることができる。
【００４６】
また、遊技球発射ユニット１によると、遊技球Ｗの重さと回動力点部１２Ｃの重さとで回動部材１２を回動させるので、回動部材１２を回動させるために杵部材１６の運動を回動部材１２に伝達する構成が不要である。このため遊技球発射ユニット１の構成を簡素にすることができる。これにより遊技球発射ユニット１を小型化できると共に、遊技球発射ユニット１のコストを低減することができる。
【００４７】
更に、遊技球発射ユニット１によると、回動部材１２が右回りに回動したときに第１の規制部１７が回動部材１２（より具体的には回動力点部１２Ｃ）に当接してそれ以上の回動を規制するので、回動部材１２が必要以上に右回りに回動してしまわないようにすることができる。
【００４８】
更に、遊技球発射ユニット１によると、第１の規制部１７に、回動部材１２（より具体的には回動力点部１２Ｃ）が第１の規制部１７に当接する際の衝撃を和らげる緩衝部材１７Ａが設けられているので、回動力点部１２Ｃと第１の規制部１７とが当接する際の衝撃による機械的な損傷や騒音を抑制することができる。
【００４９】
更に、遊技球発射ユニット１によると、遊技球Ｗを打球位置に保持する位置まで回動部材１２が左回り回動したときに第２の規制部１８が回動部材１２（より具体的には球保持部１２Ｂ）に当接してそれ以上の回動を規制するので、回動部材１２が左回りに回動し過ぎて遊技球Ｗが打球位置に保持されなくなってしまわないようにすることができる。
【００５０】
更に、遊技球発射ユニット１によると、第２の規制部１８に、回動部材１２（より具体的には球保持部１２Ｂ）が第２の規制部１８に当接する際の衝撃を和らげる緩衝部材１８Ａが設けられているので、球保持部１２Ｂと第２の規制部１８とが当接する際の衝撃による機械的な損傷や騒音を抑制することができる。
【００５１】
更に、遊技球発射ユニット１によると、ストッパー１２Ｄ（球送り部）は、回動部材１２が左回りに回動すると球保持部１２Ｂに次の遊技球Ｗが送られることを規制し、回動部材１２が右回りに回動すると規制を解除して球保持部１２Ｂに次の遊技球Ｗを送る。例えば機械的に動作する複数の部材を組み合わせて球送り部を構成したり、あるいは電気的に動作するように球送り部を構成したりすることも可能であるが、そのようにすると球送り部の構成が複雑になってしまう。これに対し、ストッパー１２Ｄを球送り部として用いると球送り部の構成を簡素にすることができる。
【００５２】
＜他の実施形態＞
本明細書によって開示される技術は上記記述及び図面によって説明した実施形態に限定されるものではなく、例えば次のような実施形態も本明細書によって開示される技術的範囲に含まれる。
【００５３】
（１）上記実施形態では第１の規制部１７に緩衝部材１７Ａ（第１の緩衝部材）が設けられている場合を例に説明したが、緩衝部材１７Ａは回動力点部１２Ｃに設けられてもよい。
【００５４】
（２）上記実施形態では第２の規制部１８に緩衝部材１８Ａ（第２の緩衝部材）が設けられている場合を例に説明したが、緩衝部材１８Ａは球保持部１２Ｂに設けられてもよい。
【００５５】
（３）上記実施形態では球送り部としてストッパー１２Ｄを例に説明したが、例えば機械的に動作する複数の部材を組み合わせて球送り部を構成してもよいし、電気的に動作するように球送り部を構成してもよい。
【符号の説明】
【００５６】
１…遊技球発射ユニット（遊技球発射装置）、１２…回動部材、１２Ｂ…球保持部、１２Ｄ…ストッパー（球送り部の一例）、１５…ソレノイド、１６…杵部材、１７…第１の規制部、１７Ａ…緩衝部材（第１の緩衝部材の一例）、１８…第２の規制部、１８Ａ…緩衝部材（第２の緩衝部材の一例）、Ｗ…遊技球
【図１】
2017196203.tif 000003
【図２】
2017196203.tif 000004
【図３】
2017196203.tif 000005
【図４】
2017196203.tif 000006
【図５】
2017196203.tif 000007
【図６】
2017196203.tif 000008
【図７】
2017196203.tif 000009
【図８】
2017196203.tif 000010